(57)【要約】      （修正有）【課題】安価で使い捨てが可能で、塔婆を体裁良く携行でき、塔婆を入れても破断しない十分な耐久性を有する塔婆袋を提供する。【解決手段】可とう性シート材で形成された細長い形状の袋本体を有し、袋本体は、挿入口１ａを有する頂部１、少なくとも塔婆の前面及び裏面に対応する一対の平面部５から構成された筒状の胴部２、及び、閉鎖された底部３を備え、底部は、胴部を、下端近傍に設定された水平方向に延びる折曲げ線に沿って上端側に折り曲げて、胴部外面を構成するいずれか一方の平面部に対峙させた折曲げ端部７を形成することで閉鎖され、胴部内面側に可とう性シート材の折曲げ端部を有しておらず、可とう性シート材を、下端近傍の位置で複数回にわたり折り曲げ加工することにより、または、袋本体を構成する可とう性シート材とは別の可とう性シート材を底部外面に貼り付けることで形成された、多重壁構造４を有する。【選択図】図１
0003219431.tif 000002
【実用新案登録請求の範囲】
【請求項１】
塔婆を収容するための袋であって、
可とう性シート材で形成された細長い形状の袋本体を有し、
前記袋本体は、挿入口を有する頂部、少なくとも前記塔婆の前面及び裏面に対応する一対の平面部から構成された筒状の胴部、及び、閉鎖された底部を備え、
前記底部は、前記胴部を、下端近傍に設定された水平方向に延びる折曲げ線に沿って上端側に折り曲げて、胴部外面を構成するいずれか一方の平面部に対峙させた折曲げ端部を形成することにより閉鎖されており、胴部内面側に前記可とう性シート材の前記折曲げ端部を有しておらず、前記袋本体を構成する前記可とう性シート材を、下端近傍の位置で複数回にわたり折り曲げ加工することにより、または、前記袋本体を構成する前記可とう性シート材とは別の第２の可とう性シート材を底部外面に貼り付けることにより形成された、多重壁構造を有することを特徴とする、塔婆袋。
【請求項２】
前記可とう性シート材が紙である請求項１に記載の塔婆袋。
【請求項３】
前記紙が、上質紙、クラフト紙、及び、更紙よりなる群から選ばれるものである請求項１又は２に記載の塔婆袋。
【請求項４】
前記上質紙の坪量は５０〜６５ｇ／ｍ２であり、前記クラフト紙の坪量は５０〜７５ｇ／ｍ２であり、前記更紙の坪量は４０〜４５ｇ／ｍ２である、請求項１乃至３のいずれか一項に記載の塔婆袋。
【請求項５】
前記袋本体は、細長い長方形である、請求項１乃至４のいずれか一項に記載の塔婆袋。
【請求項６】
前記袋本体は、平袋である、請求項１乃至５のいずれか一項に記載の塔婆袋。
【請求項７】
前記袋本体は、合掌袋である、請求項１乃至６のいずれか一項に記載の塔婆袋。
【請求項８】
前記底部の多重壁構造は、前記袋本体を構成する前記可とう性シート材とは別の第２の可とう性シート材を底部外面に貼り付けることにより形成された多重壁構造である、請求項１乃至７のいずれか一項に記載の塔婆袋。
【請求項９】
前記第２の可とう性シート材は、紙、糸入り紙シート、ネット入り紙シート、糸入りプラスチックシート、及び、ネット入りプラスチックシートよりなる群から選ばれるものである、請求項１乃至８のいずれか一項に記載の塔婆袋。
【請求項１０】
前記底部の多重壁構造は、前記袋本体を構成する前記可とう性シート材を、
当該可とう性シート材の下端近傍に設定された水平方向に延びる折曲げ線に沿って上端側に折り曲げて、第１の折曲げ端部を形成し、
当該可とう性シート材の所定位置に設定された上下方向に延びる折曲げ線に沿って、前記第１の折曲げ端部が前記袋本体の外面側に位置するように折り曲げて、筒状に成形し、
前記第１の折曲げ端部の所定位置に設定された水平方向に延びる折曲げ線に沿って上端側に折り曲げて、第２の折曲げ端部を形成し、胴部外面を構成するいずれか一方の平面部に対峙させることにより形成された多重壁構造である、請求項１乃至７のいずれか一項に記載の塔婆袋。
【請求項１１】
前記底部の多重壁構造は、
前記第２の折曲げ端部を、当該第２の折曲げ端部の所定位置に設定された水平方向に延びる折曲げ線に沿って、当該第２の折曲げ端部が対峙する平面部、又は、当該平面部と対をなす反対側の平面部のいずれかに向けて折り曲げて、第３の折曲げ端部を形成し、いずれかの平面部に対峙させ、
必要に応じて、さらに前記第３の折曲げ端部を形成する工程を繰り返すことにより形成された多重壁構造である、請求項１０に記載の塔婆袋。
【請求項１２】
前記底部の多重壁構造は、前記袋本体を構成する前記可とう性シート材を、
当該可とう性シート材の所定位置に設定された上下方向に延びる折曲げ線に沿って、筒状に成形し、
当該可とう性シート材の下端近傍に設定された水平方向に延びる折曲げ線に沿って上端側に折り曲げて第１の折曲げ端部を形成し、胴部外面を構成するいずれか一方の平面部に対峙させ、
前記第１の折曲げ端部を、当該第１の折曲げ端部の所定位置に設定された水平方向に延びる折曲げ線に沿って、当該第１の折曲げ端部が対峙する平面部、又は、当該平面部と対をなす反対側の平面部のいずれかに向けて折り曲げて、第２の折曲げ端部を形成し、いずれかの平面部に対峙させ、
必要に応じて、さらに前記第２の折曲げ端部を形成する工程を繰り返すことにより形成された多重壁構造である、請求項１乃至７のいずれか一項に記載の塔婆袋。
【請求項１３】
前記袋本体の外面に、当該袋本体の長手方向に沿って両端を接続した取っ手部が取り付けられている、請求項１乃至１２のいずれか一項に記載の塔婆袋。
【請求項１４】
前記袋本体の外面に、当該袋本体の長手方向と直交する方向に延びる紐部が取り付けられている、請求項１乃至１３のいずれか一項に記載の塔婆袋。
【請求項１５】
前記取っ手部又は前記紐部は、紙、紙紐、プラスチックシート、プラスチック紐、糸入り紙シート、ネット入り紙シート、糸入りプラスチックシート、及び、ネット入りプラスチックシートよりなる群から選ばれる材料からなる、請求項１乃至１４のいずれか一項に記載の塔婆袋。
【考案の詳細な説明】
【技術分野】
【０００１】
本考案は、塔婆袋に関し、具体的には、墓参の際に、塔婆を入れて携行することができる袋に関する。
【背景技術】
【０００２】
塔婆は、葬儀、故人の供養のために用いられ、法要の時などに墓の後ろに立てて使用し墓地におさめる法具である。
尚、塔婆は、３尺〜６尺の細長い板の表面に故人の戒名や供養の年月日、施主の名前等を墨で記す。そして、上記細長い板に戒名等を寺院で記し供養してもらった後、これを墓参人が目的の墓地まで携行し、これを墓地に立てて供養する場合がある。
【０００３】
特許文献１には、塔婆を体裁よく安全に携行するために、袋の下方に塔婆を受け止めるクッション座部を設けた塔婆入れが開示されている。
特許文献２には、遺族への思いやりの心情を示すための金襴地を袋状にした塔婆入れ袋が開示されている。
【先行技術文献】
【特許文献】
【０００４】
【特許文献１】実開昭６２−９０５９１号公報
【特許文献２】実開平３−１６４８１号公報
【考案の概要】
【考案が解決しようとする課題】
【０００５】
墓参人が目的の墓地まで塔婆を携行する場合、当該塔婆を入れる入れ物が用意されていない場合、印刷された古新聞紙などで包んで運搬されている。
しかし、古新聞紙は、安価で使い捨てが可能であるが、体裁が良くないという問題がある。
代替品としては、風呂敷等が挙げられるが、近年、風呂敷を持参する人は減っている。
また、従来の凡庸な紙袋等では、塔婆を入れるのに十分な寸法を有しておらず、塔婆が十分に入りきらないという問題がある。
さらに、従来の凡庸な紙袋等では、塔婆を運搬する際に塔婆の重みに耐えきれず、紙袋の底が破けてしまうという問題がある。
一方、住職等が用いる従来の塔婆袋は高価である。
【０００６】
本考案は上記の実状に鑑みて成し遂げられたものであり、安価で使い捨てが可能で、塔婆を体裁良く携行でき、塔婆を入れても破断しない十分な耐久性を有する塔婆袋を提供することを目的とする。
【課題を解決するための手段】
【０００７】
本考案は、
（１）塔婆を収容するための袋であって、
可とう性シート材で形成された細長い形状の袋本体を有し、
前記袋本体は、挿入口を有する頂部、少なくとも前記塔婆の前面及び裏面に対応する一対の平面部から構成された筒状の胴部、及び、閉鎖された底部を備え、
前記底部は、前記胴部を、下端近傍に設定された水平方向に延びる折曲げ線に沿って上端側に折り曲げて、胴部外面を構成するいずれか一方の平面部に対峙させた折曲げ端部を形成することにより閉鎖されており、胴部内面側に前記可とう性シート材の前記折曲げ端部を有しておらず、前記袋本体を構成する前記可とう性シート材を、下端近傍の位置で複数回にわたり折り曲げ加工することにより、または、前記袋本体を構成する前記可とう性シート材とは別の第２の可とう性シート材を底部外面に貼り付けることにより形成された、多重壁構造を有することを特徴とする、塔婆袋、
（２）前記可とう性シート材が紙である上記（１）に記載の塔婆袋、
（３）前記紙が、上質紙、クラフト紙、及び、更紙よりなる群から選ばれるものである上記（１）又は（２）に記載の塔婆袋、
（４）前記上質紙の坪量は５０〜６５ｇ／ｍ２であり、前記クラフト紙の坪量は５０〜７５ｇ／ｍ２であり、前記更紙の坪量は４０〜４５ｇ／ｍ２である上記（１）乃至（３）のいずれか１項に記載の塔婆袋、
（５）前記袋本体は、細長い長方形である、上記（１）乃至（４）のいずれか１項に記載の塔婆袋、
（６）前記袋本体は、平袋である上記（１）乃至（５）のいずれか１項に記載の塔婆袋、
（７）前記袋本体は、合掌袋である上記（１）乃至（６）のいずれか１項に記載の塔婆袋、
（８）前記底部の多重壁構造は、前記袋本体を構成する前記可とう性シート材とは別の第２の可とう性シート材を底部外面に貼り付けることにより形成された多重壁構造である上記（１）乃至（７）のいずれか１項に記載の塔婆袋、
（９）前記第２の可とう性シート材は、紙、糸入り紙シート、ネット入り紙シート、糸入りプラスチックシート、及び、ネット入りプラスチックシートよりなる群から選ばれるものである上記（１）乃至（８）のいずれか１項に記載の塔婆袋、
（１０）前記底部の多重壁構造は、前記袋本体を構成する前記可とう性シート材を、
当該可とう性シート材の下端近傍に設定された水平方向に延びる折曲げ線に沿って上端側に折り曲げて、第１の折曲げ端部を形成し、
当該可とう性シート材の所定位置に設定された上下方向に延びる折曲げ線に沿って、前記第１の折曲げ端部が袋本体の外面側に位置するように折り曲げて、筒状に成形し、
前記第１の折曲げ端部の所定位置に設定された水平方向に延びる折曲げ線に沿って上端側に折り曲げて、第２の折曲げ端部を形成し、胴部外面を構成するいずれか一方の平面部に対峙させることにより形成された多重壁構造である上記（１）乃至（７）のいずれか１項に記載の塔婆袋、
（１１）前記底部の多重壁構造は、
前記第２の折曲げ端部を、当該第２の折曲げ端部の所定位置に設定された水平方向に延びる折曲げ線に沿って、当該第２の折曲げ端部が対峙する平面部、又は、当該平面部と対をなす反対側の平面部のいずれかに向けて折り曲げて、第３の折曲げ端部を形成し、いずれかの平面部に対峙させ、
必要に応じて、さらに前記第３の折曲げ端部を形成する工程を繰り返すことにより形成された多重壁構造である上記（１０）に記載の塔婆袋、
（１２）前記底部の多重壁構造は、前記袋本体を構成する前記可とう性シート材を、
当該可とう性シート材の所定位置に設定された上下方向に延びる折曲げ線に沿って、筒状に成形し、
当該可とう性シート材の下端近傍に設定された水平方向に延びる折曲げ線に沿って上端側に折り曲げて第１の折曲げ端部を形成し、胴部外面を構成するいずれか一方の平面部に対峙させ、
前記第１の折曲げ端部を、当該第１の折曲げ端部の所定位置に設定された水平方向に延びる折曲げ線に沿って、当該第１の折曲げ端部が対峙する平面部、又は、当該平面部と対をなす反対側の平面部のいずれかに向けて折り曲げて、第２の折曲げ端部を形成し、いずれかの平面部に対峙させ、
必要に応じて、さらに前記第２の折曲げ端部を形成する工程を繰り返すことにより形成された多重壁構造である上記（１）乃至（７）のいずれか１項に記載の塔婆袋、
（１３）前記袋本体の外面に、当該袋本体の長手方向に沿って両端を接続した取っ手部が取り付けられている上記（１）乃至（１２）のいずれか１項に記載の塔婆袋、
（１４）前記袋本体の外面に、当該袋本体の長手方向と直交する方向に延びる紐部が取り付けられている上記（１）乃至（１３）のいずれか１項に記載の塔婆袋、及び、
（１５）前記取っ手部又は前記紐部は、紙、紙紐、プラスチックシート、プラスチック紐、糸入り紙シート、ネット入り紙シート、糸入りプラスチックシート、及び、ネット入りプラスチックシートよりなる群から選ばれる材料からなる上記（１）乃至（１４）のいずれか１項に記載の塔婆袋を提供する。
【考案の効果】
【０００８】
本考案によって、安価で使い捨てが可能で、塔婆を体裁良く携行でき、塔婆を入れても破断しない十分な耐久性を有する塔婆袋を提供することができる。
【図面の簡単な説明】
【０００９】
【図１】図１は本考案の塔婆袋を模式的に示した斜視図の一例である。
【図２】図２は第１の実施形態の一連の手順の内の一工程を説明するための可とう性シート材を模式的に示した平面図の一例である。
【図３】図３は第１の実施形態の一連の手順の内の一工程を説明するための可とう性シート材を模式的に示した斜視図の一例である。
【図４】図４第１の実施形態の一連の手順の内の一工程を説明するための可とう性シート材を模式的に示した平面図の別の一例である。
【図５】図５は第１の実施形態の一連の手順の内の一工程を説明するための可とう性シート材を模式的に示した斜視図の別の一例である。
【図６】図６は第１の実施形態の一連の手順の内の一工程を説明するための可とう性シート材を模式的に示した平面図の別の一例である。
【図７】図７は第２の実施形態の一連の手順の内の一工程を説明するための可とう性シート材を模式的に示した平面図の別の一例である。
【図８】図８は第２の実施形態の一連の手順の内の一工程を説明するための可とう性シート材を模式的に示した平面図の別の一例である。
【図９】図９は第２の実施形態の一連の手順の内の一工程を説明するための可とう性シート材を模式的に示した平面図の別の一例である。
【図１０】図１０は第３の実施形態の一連の手順の内の一工程を説明するための袋本体を模式的に示した斜視図の一例である。
【図１１】図１１は本考案の塔婆袋を模式的に示した斜視図の別の一例である。
【図１２】図１２は本考案の塔婆袋を模式的に示した斜視図の別の一例である。
【図１３】図１３は本考案の塔婆袋を模式的に示した斜視図の別の一例である。
【考案を実施するための形態】
【００１０】
本考案は、塔婆を収容するための袋であって、
可とう性シート材で形成された細長い形状の袋本体を有し、
前記袋本体は、挿入口を有する頂部、少なくとも前記塔婆の前面及び裏面に対応する一対の平面部から構成された筒状の胴部、及び、閉鎖された底部を備え、
前記底部は、前記胴部を、下端近傍に設定された水平方向に延びる折曲げ線に沿って上端側に折り曲げて、胴部外面を構成するいずれか一方の平面部に対峙させた折曲げ端部を形成することにより閉鎖されており、胴部内面側に前記可とう性シート材の前記折曲げ端部を有しておらず、前記袋本体を構成する前記可とう性シート材を、下端近傍の位置で複数回にわたり折り曲げ加工することにより、または、前記袋本体を構成する前記可とう性シート材とは別の第２の可とう性シート材を底部外面に貼り付けることにより形成された、多重壁構造を有することを特徴とする、塔婆袋である。
以下、図面を参照して本考案の実施形態について詳細に説明する。
【００１１】
図１は、本考案の塔婆袋を模式的に示した斜視図の一例である。
本考案の塔婆袋は、細長い形状の袋本体１００を有し、前記袋本体１００は、挿入口１ａを有する頂部１、接合部６で貼り合わせて筒状に形成され、且つ、塔婆の前面及び裏面に対応する一対の平面部５を有する胴部２、及び、閉鎖された底部３を備える。底部３は、平面部５に対峙させるように折り曲げて、平面部５と接着させて形成された折曲げ端部７により閉鎖されている。また、底部３は、可とう性シート材が２重以上重なる多重壁構造４を有する。
【００１２】
袋本体は、可とう性シート材で形成される。
可とう性シート材は、製造コストを低減する観点から、紙であることが好ましい。
また、紙は、上質紙、クラフト紙、及び、更紙よりなる群から選ばれるものであることが、戒名等が墨で記された塔婆の墨移りを抑制する観点から好ましい。
さらに、軽量で丈夫な袋とする観点から、前記上質紙の坪量は５０〜６５ｇ／ｍ２であることが好ましく、前記クラフト紙の坪量は５０〜７５ｇ／ｍ２であることが好ましく、前記更紙の坪量は４０〜４５ｇ／ｍ２であることが好ましい。
【００１３】
袋本体は、塔婆を収容可能な細長い形状を有していればよく、細長い長方形であってもよい。
また、袋本体は、平袋であってもよく、胴部の側面にガゼットを有するガゼット袋であってもよい。平袋は、１枚の可とう性シート材を折り曲げ加工し、開放端を封止して形成された袋であってもよく、２枚以上の可とう性シート材をつなぎ合わせて開放端を封止して形成された袋であってよい。
【００１４】
袋本体は、塔婆を収容可能な大きさであればよく、幅が１２ｃｍ〜１３ｃｍであってもよく、長さが９５ｃｍ〜１９０ｃｍであってもよく、塔婆の大きさに応じて適宜調整してもよい。
【００１５】
挿入口は、例えば、塔婆を１〜３枚程度重ねて収容できる断面積を有していてもよい。
【００１６】
一対の平面部は、塔婆の前面及び裏面に対応するものであり、平面部の形状は塔婆の形状に合わせて適宜設定してもよい。
胴部には一対の平面部を有していれば、２枚以上の可とう性シート材をつなぎ合わせて側面の端部を封止することにより形成された側面部があってもよく、側面部は、ガゼットを有していてもよい。
胴部の形成方法は特に限定されないが、可とう性シート材を所定の幅となるように縦方向に二つ折りにして袋の側面部の位置で開放端を封止してもよく、可とう性シート材を縦方向に三つ折りにして袋の平面部の位置で開放端を封止してもよく（この場合は合掌袋となる）、２枚以上の可撓性シート材をつなぎ合わせて側面の端部を封止して形成してもよい。
【００１７】
本考案の塔婆袋において、底部は、胴部の下端近傍を上端側に折り曲げて、折曲げ端部を形成し、胴部外面の前側又は後ろ側の平面部に対峙させて貼り付けることによって、胴部内面側に可とう性シート材の折曲げ端部を有しない構造となる。これにより、塔婆を収容する際に塔婆が折曲げ端部に引っかかることにより袋が破れることを防止することができる。
【００１８】
多重壁構造は、袋本体を構成する可とう性シート材を、下端近傍の位置で複数回にわたり折り曲げ加工することにより形成してもよく、袋本体を構成する可とう性シート材とは別の第２の可とう性シート材を底部外面に貼り付けることにより形成してもよい。
第２の可とう性シート材は、紙、糸入り紙シート、ネット入り紙シート、糸入りプラスチックシート、及び、ネット入りプラスチックシートよりなる群から選ばれるものであることが好ましい。なお、袋本体を構成する可とう性シート材と第２の可とう性シート材が共に紙である場合、紙の材質は同じであってもよく、異なっていてもよい。
本考案の塔婆袋は、多重壁構造を有することにより、安価な可とう性シート材を用いた袋であるにも関わらず、丈夫な底部となる。これにより、袋に塔婆を収容しても底部を突き破るおそれがなく、安心して塔婆を携行できる。また、塔婆の携行時、塔婆は袋の中にあるため、外部から戒名等が見えず体裁よく携行できる。さらに、安価な可とう性シート材を使用しているため、使い捨てしてもよい。
【００１９】
［第１の実施形態］
図２〜６を用いて、第１の実施形態の一連の手順を説明する。
図２に示すように、可とう性シート材８は、当該可とう性シート材８の下端近傍の位置に水平方向に延びる折曲げ線Ｌａが設けられている。折曲げ線Ｌａの位置は最終的に多重壁構造を形成可能な位置であれば特に限定されず、塔婆の大きさ等に応じて適宜設定することができる。
そして、図３に示すように、可とう性シート材８を、折曲げ線Ｌａに沿って上端側に折り曲げて、図４に示すように接合部６で可とう性シート材８を接着することにより、第１の折曲げ端部７ａを形成する。そして、図４に示すように、可とう性シート材８の所定位置に上下方向（縦方向）に延びる折曲げ線Ｌｂを設ける。折曲げ線Ｌｂを設ける位置は、袋本体を形成した時に塔婆を入れることが可能な幅を確保できる位置であれば特に限定されない。
そして、図５に示すように、可とう性シート材８を折曲げ線Ｌｂに沿って、第１の折曲げ端部７ａが袋本体の外面側に位置するように折り曲げて、開放端の位置で当接し合う可とう性シート材８の両側端を接着することにより、図６に示す接合部６を有する筒状の袋に成形する。図６に示す接合部６の水平方向の幅は、特に限定されないが、２〜３ｃｍとしてもよい。ここで、折曲げ線Ｌｂに沿って、第１の折曲げ端部７ａが袋本体の内面側に位置するように折り曲げると、胴部内面側に第１の折曲げ端部７ａが形成され、塔婆を収容する際に塔婆が第１の折曲げ端部７ａに引っかかり、袋が破断してしまうおそれがあるため好ましくない。
その後、図６に示すように、第１の折曲げ端部７ａを当該第１の折曲げ端部７ａ内の所定位置に設定された水平方向に延びる折曲げ線Ｌｃに沿って上端側に折り曲げて、胴部外面を構成するいずれか一方の平面部５に対峙させて接着して、第２の折曲げ端部を形成することにより図１に示すような多重壁構造４を形成して、袋本体１００が得られる。
図示しないが、袋の底部を破れにくくする観点から、第２の折曲げ端部を、当該第２の折曲げ端部内の所定位置に設定された水平方向に延びる折曲げ線に沿って、当該第２の折曲げ端部が対峙する平面部５、又は、当該平面部５と対をなす反対側の平面部５のいずれかに向けて、さらに折り曲げて、第３の折曲げ端部を形成し、いずれかの平面部５に対峙させ接着することにより多重壁構造４を強化してもよい。また、袋の底部をより破れにくくする観点から、必要に応じて、さらに第３の折曲げ端部を形成する工程を繰り返すことにより多重壁構造４を強化してもよい。多重壁構造４を形成するために最後に形成される折り曲げ端部は、袋の見栄えを良くする観点から、合掌貼りされている側の平面部に対峙させて貼り付けることが好ましい。
【００２０】
［第２の実施形態］
図７〜９を用いて第２の実施形態の一連の手順を説明する。
図７に示す可とう性シート材８は、当該可とう性シート材８の所定位置に設定された上下方向（縦方向）に延びる折曲げ線Ｌｂが設けられている。そして、可とう性シート材８を折曲げ線Ｌｂに沿って折り曲げ、開放端の位置で当接し合う可とう性シート材８の両側端を接着することにより、当該可とう性シート材８を図８に示す接合部６を有する筒状のシートに成形する。
そして、図８に示すように、筒状に成形された可とう性シート材８を、当該可とう性シート材８の下端近傍に設定された水平方向に延びる折曲げ線Ｌａに沿って上端側に折り曲げて胴部外面を構成するいずれか一方の平面部５に対峙させて接着することにより、図９に示す第１の折曲げ端部７ａを形成する。
その後、図９に示す第１の折曲げ端部７ａを、当該第１の折曲げ端部７ａ内の所定位置に設定された水平方向に延びる折曲げ線Ｌｃに沿って、当該第１の折曲げ端部７ａが対峙する平面部５、又は、当該平面部５と対をなす反対側の平面部５のいずれかに向けて折り曲げて、いずれかの平面部５に対峙させて、接着することにより第２の折曲げ端部を形成することにより図１に示すような多重壁構造４を形成して、袋本体１００が得られる。
また、袋の底部を破れにくくする観点から、必要に応じて、さらに第２の折曲げ端部を形成する工程を繰り返すことにより、多重壁構造４を強化してもよい。
【００２１】
［第３の実施形態］
図１０〜１１を用いて、第３の実施形態の一連の手順を説明する。
図１０に示す袋本体２００は、図７に示す可とう性シート材８を図８に示す接合部６を有する筒状のシートに成形して、図８に示す折曲げ線Ｌａに沿って上端側に折り曲げて胴部外面を構成するいずれか一方の平面部５に対峙させて接着することにより形成された、第１の折曲げ端部７ａを有するものである。そして、図１０に示す袋本体２００を構成する可とう性シート材８とは別の第２の可とう性シート材９を底部３の外面に貼り付けることにより、図１１に示す多重壁構造４が形成された袋本体２０１が得られる。
【００２２】
図１２は、本考案の塔婆袋を模式的に示した斜視図の別の一例である。図１２において、図１と同様の箇所の説明は省略する。
図１２に示すように、袋本体３００は、当該袋本体３００の外面に、取っ手部１０が当該袋本体３００の長手方向に沿って両端を接合部６で接着されて取り付けられている。塔婆は細長く且つ長さがあるため、持ち運ぶ際に塔婆自体の重みで手からすり抜けやすい。取っ手部１０の両端を袋本体３００の長手方向に沿って、取り付けることにより、手からすり抜けたときに取っ手の上端側固定部に引っかかるため、落としにくくなる。
【００２３】
図１３は、本考案の塔婆袋を模式的に示した斜視図の別の一例である。図１３において、図１と同様の箇所の説明は省略する。
図１３に示すように、袋本体４００は、当該袋本体４００の外面に、当該袋本体４００の長手方向と直交する方向に延びる紐部１１が接合部６で接着されて取り付けられている。この紐部１１を袋に巻きしめて運びやすくすることができる。
【００２４】
取っ手部の形状は、特に限定されず、取っ手型であってもよくリング型であってもよい。
取っ手部又は紐部は、紙、紙紐、プラスチックシート、プラスチック紐、糸入り紙シート、ネット入り紙シート、糸入りプラスチックシート、及び、ネット入りプラスチックシートよりなる群から選ばれる材料で構成されていてもよい。
【符号の説明】
【００２５】
１        頂部
１ａ      挿入口
２        胴部
３        底部
４        多重壁構造
５        平面部
６        接合部
７        折曲げ端部
７ａ      第１の折曲げ端部
８        可とう性シート材
９        第２の可とう性シート材
１０      取っ手部
１１      紐部
Ｌａ      折曲げ線
Ｌｂ      折曲げ線
Ｌｃ      折曲げ線
１００    袋本体
２００    袋本体
２０１    袋本体
３００    袋本体
４００    袋本体
【図１】
0003219431.tif 000003
【図２】
0003219431.tif 000004
【図３】
0003219431.tif 000005
【図４】
0003219431.tif 000006
【図５】
0003219431.tif 000007
【図６】
0003219431.tif 000008
【図７】
0003219431.tif 000009
【図８】
0003219431.tif 000010
【図９】
0003219431.tif 000011
【図１０】
0003219431.tif 000012
【図１１】
0003219431.tif 000013
【図１２】
0003219431.tif 000014
【図１３】
0003219431.tif 000015
【手続補正書】
【提出日】平成30年10月16日(2018.10.16)
【手続補正１】
【補正対象書類名】実用新案登録請求の範囲
【補正対象項目名】全文
【補正方法】変更
【補正の内容】
【実用新案登録請求の範囲】
【請求項１】
塔婆を収容するための袋であって、
可とう性シート材で形成された細長い形状の袋本体を有し、
前記袋本体は、挿入口を有する頂部、少なくとも前記塔婆の前面及び裏面に対応する一対の平面部から構成された筒状の胴部、及び、閉鎖された底部を備え、
前記底部は、前記胴部を、下端近傍に設定された水平方向に延びる折曲げ線に沿って上端側に折り曲げて、胴部外面を構成するいずれか一方の平面部に対峙させた折曲げ端部を形成することにより閉鎖されており、胴部内面側に前記可とう性シート材の前記折曲げ端部を有しておらず、前記袋本体を構成する前記可とう性シート材を、下端近傍の位置で複数回にわたり折り曲げ加工することにより、または、前記袋本体を構成する前記可とう性シート材とは別の第２の可とう性シート材を底部外面に貼り付けることにより形成された、多重壁構造を有することを特徴とする、塔婆袋。
【請求項２】
前記可とう性シート材が紙である請求項１に記載の塔婆袋。
【請求項３】
前記紙が、上質紙、クラフト紙、及び、更紙よりなる群から選ばれるものである請求項２に記載の塔婆袋。
【請求項４】
前記上質紙の坪量は５０〜６５ｇ／ｍ２であり、前記クラフト紙の坪量は５０〜７５ｇ／ｍ２であり、前記更紙の坪量は４０〜４５ｇ／ｍ２である、請求項３に記載の塔婆袋。
【請求項５】
前記袋本体は、細長い長方形である、請求項１乃至４のいずれか一項に記載の塔婆袋。
【請求項６】
前記袋本体は、平袋である、請求項１乃至５のいずれか一項に記載の塔婆袋。
【請求項７】
前記袋本体は、合掌袋である、請求項１乃至６のいずれか一項に記載の塔婆袋。
【請求項８】
前記底部の多重壁構造は、前記袋本体を構成する前記可とう性シート材とは別の第２の可とう性シート材を底部外面に貼り付けることにより形成された多重壁構造である、請求項１乃至７のいずれか一項に記載の塔婆袋。
【請求項９】
前記第２の可とう性シート材は、紙、糸入り紙シート、ネット入り紙シート、糸入りプラスチックシート、及び、ネット入りプラスチックシートよりなる群から選ばれるものである、請求項１乃至８のいずれか一項に記載の塔婆袋。
【請求項１０】
前記底部の多重壁構造は、前記袋本体を構成する前記可とう性シート材を、
当該可とう性シート材の下端近傍に設定された水平方向に延びる折曲げ線に沿って上端側に折り曲げて、第１の折曲げ端部を形成し、
当該可とう性シート材の所定位置に設定された上下方向に延びる折曲げ線に沿って、前記第１の折曲げ端部が前記袋本体の外面側に位置するように折り曲げて、筒状に成形し、
前記第１の折曲げ端部の所定位置に設定された水平方向に延びる折曲げ線に沿って上端側に折り曲げて、第２の折曲げ端部を形成し、胴部外面を構成するいずれか一方の平面部に対峙させることにより形成された多重壁構造である、請求項１乃至７のいずれか一項に記載の塔婆袋。
【請求項１１】
前記底部の多重壁構造は、
前記第２の折曲げ端部を、当該第２の折曲げ端部の所定位置に設定された水平方向に延びる折曲げ線に沿って、当該第２の折曲げ端部が対峙する平面部、又は、当該平面部と対をなす反対側の平面部のいずれかに向けて折り曲げて、第３の折曲げ端部を形成し、いずれかの平面部に対峙させ、
必要に応じて、さらに前記第３の折曲げ端部を形成する工程を繰り返すことにより形成された多重壁構造である、請求項１０に記載の塔婆袋。
【請求項１２】
前記底部の多重壁構造は、前記袋本体を構成する前記可とう性シート材を、
当該可とう性シート材の所定位置に設定された上下方向に延びる折曲げ線に沿って、筒状に成形し、
当該可とう性シート材の下端近傍に設定された水平方向に延びる折曲げ線に沿って上端側に折り曲げて第１の折曲げ端部を形成し、胴部外面を構成するいずれか一方の平面部に対峙させ、
前記第１の折曲げ端部を、当該第１の折曲げ端部の所定位置に設定された水平方向に延びる折曲げ線に沿って、当該第１の折曲げ端部が対峙する平面部、又は、当該平面部と対をなす反対側の平面部のいずれかに向けて折り曲げて、第２の折曲げ端部を形成し、いずれかの平面部に対峙させ、
必要に応じて、さらに前記第２の折曲げ端部を形成する工程を繰り返すことにより形成された多重壁構造である、請求項１乃至７のいずれか一項に記載の塔婆袋。
【請求項１３】
前記袋本体の外面に、当該袋本体の長手方向に沿って両端を接続した取っ手部が取り付けられている、請求項１乃至１２のいずれか一項に記載の塔婆袋。
【請求項１４】
前記袋本体の外面に、当該袋本体の長手方向と直交する方向に延びる紐部が取り付けられている、請求項１乃至１３のいずれか一項に記載の塔婆袋。
【請求項１５】
前記取っ手部は、紙、紙紐、プラスチックシート、プラスチック紐、糸入り紙シート、ネット入り紙シート、糸入りプラスチックシート、及び、ネット入りプラスチックシートよりなる群から選ばれる材料からなる、請求項１３に記載の塔婆袋。
【請求項１６】
前記紐部は、紙、紙紐、プラスチックシート、プラスチック紐、糸入り紙シート、ネット入り紙シート、糸入りプラスチックシート、及び、ネット入りプラスチックシートよりなる群から選ばれる材料からなる、請求項１４に記載の塔婆袋。
【手続補正２】
【補正対象書類名】明細書
【補正対象項目名】０００７
【補正方法】変更
【補正の内容】
【０００７】
本考案は、
（１）塔婆を収容するための袋であって、
可とう性シート材で形成された細長い形状の袋本体を有し、
前記袋本体は、挿入口を有する頂部、少なくとも前記塔婆の前面及び裏面に対応する一対の平面部から構成された筒状の胴部、及び、閉鎖された底部を備え、
前記底部は、前記胴部を、下端近傍に設定された水平方向に延びる折曲げ線に沿って上端側に折り曲げて、胴部外面を構成するいずれか一方の平面部に対峙させた折曲げ端部を形成することにより閉鎖されており、胴部内面側に前記可とう性シート材の前記折曲げ端部を有しておらず、前記袋本体を構成する前記可とう性シート材を、下端近傍の位置で複数回にわたり折り曲げ加工することにより、または、前記袋本体を構成する前記可とう性シート材とは別の第２の可とう性シート材を底部外面に貼り付けることにより形成された、多重壁構造を有することを特徴とする、塔婆袋、
（２）前記可とう性シート材が紙である上記（１）に記載の塔婆袋、
（３）前記紙が、上質紙、クラフト紙、及び、更紙よりなる群から選ばれるものである上記（２）に記載の塔婆袋、
（４）前記上質紙の坪量は５０〜６５ｇ／ｍ２であり、前記クラフト紙の坪量は５０〜７５ｇ／ｍ２であり、前記更紙の坪量は４０〜４５ｇ／ｍ２である上記（３）に記載の塔婆袋、
（５）前記袋本体は、細長い長方形である、上記（１）乃至（４）のいずれか１項に記載の塔婆袋、
（６）前記袋本体は、平袋である上記（１）乃至（５）のいずれか１項に記載の塔婆袋、
（７）前記袋本体は、合掌袋である上記（１）乃至（６）のいずれか１項に記載の塔婆袋、
（８）前記底部の多重壁構造は、前記袋本体を構成する前記可とう性シート材とは別の第２の可とう性シート材を底部外面に貼り付けることにより形成された多重壁構造である上記（１）乃至（７）のいずれか１項に記載の塔婆袋、
（９）前記第２の可とう性シート材は、紙、糸入り紙シート、ネット入り紙シート、糸入りプラスチックシート、及び、ネット入りプラスチックシートよりなる群から選ばれるものである上記（１）乃至（８）のいずれか１項に記載の塔婆袋、
（１０）前記底部の多重壁構造は、前記袋本体を構成する前記可とう性シート材を、
当該可とう性シート材の下端近傍に設定された水平方向に延びる折曲げ線に沿って上端側に折り曲げて、第１の折曲げ端部を形成し、
当該可とう性シート材の所定位置に設定された上下方向に延びる折曲げ線に沿って、前記第１の折曲げ端部が袋本体の外面側に位置するように折り曲げて、筒状に成形し、
前記第１の折曲げ端部の所定位置に設定された水平方向に延びる折曲げ線に沿って上端側に折り曲げて、第２の折曲げ端部を形成し、胴部外面を構成するいずれか一方の平面部に対峙させることにより形成された多重壁構造である上記（１）乃至（７）のいずれか１項に記載の塔婆袋、
（１１）前記底部の多重壁構造は、
前記第２の折曲げ端部を、当該第２の折曲げ端部の所定位置に設定された水平方向に延びる折曲げ線に沿って、当該第２の折曲げ端部が対峙する平面部、又は、当該平面部と対をなす反対側の平面部のいずれかに向けて折り曲げて、第３の折曲げ端部を形成し、いずれかの平面部に対峙させ、
必要に応じて、さらに前記第３の折曲げ端部を形成する工程を繰り返すことにより形成された多重壁構造である上記（１０）に記載の塔婆袋、
（１２）前記底部の多重壁構造は、前記袋本体を構成する前記可とう性シート材を、
当該可とう性シート材の所定位置に設定された上下方向に延びる折曲げ線に沿って、筒状に成形し、
当該可とう性シート材の下端近傍に設定された水平方向に延びる折曲げ線に沿って上端側に折り曲げて第１の折曲げ端部を形成し、胴部外面を構成するいずれか一方の平面部に対峙させ、
前記第１の折曲げ端部を、当該第１の折曲げ端部の所定位置に設定された水平方向に延びる折曲げ線に沿って、当該第１の折曲げ端部が対峙する平面部、又は、当該平面部と対をなす反対側の平面部のいずれかに向けて折り曲げて、第２の折曲げ端部を形成し、いずれかの平面部に対峙させ、
必要に応じて、さらに前記第２の折曲げ端部を形成する工程を繰り返すことにより形成された多重壁構造である上記（１）乃至（７）のいずれか１項に記載の塔婆袋、
（１３）前記袋本体の外面に、当該袋本体の長手方向に沿って両端を接続した取っ手部が取り付けられている上記（１）乃至（１２）のいずれか１項に記載の塔婆袋、
（１４）前記袋本体の外面に、当該袋本体の長手方向と直交する方向に延びる紐部が取り付けられている上記（１）乃至（１３）のいずれか１項に記載の塔婆袋、
（１５）前記取っ手部は、紙、紙紐、プラスチックシート、プラスチック紐、糸入り紙シート、ネット入り紙シート、糸入りプラスチックシート、及び、ネット入りプラスチックシートよりなる群から選ばれる材料からなる上記（１３）に記載の塔婆袋、及び、
（１６）前記紐部は、紙、紙紐、プラスチックシート、プラスチック紐、糸入り紙シート、ネット入り紙シート、糸入りプラスチックシート、及び、ネット入りプラスチックシートよりなる群から選ばれる材料からなる上記（１４）に記載の塔婆袋を提供する。